(57)【特許請求の範囲】
【請求項１】
本体ケースの吸込口から本体内部に吸い込んだ空気を除湿して本体ケースの吹出口から本体ケース外に吹き出す除湿機において、
前記本体ケースの背面側底部には圧縮機と貯水タンクを設け、前記本体ケースの背面側で前記圧縮機及び前記貯水タンクの直上に熱交換器を設け、前記本体ケースの前面側の底部に送風モータによって駆動される送風ファンを覆う送風ケーシングを配設し、
該送風ケーシングの上端が前記熱交換器の上端より低くなるように設定するとともに前記送風ファンの中心が前記熱交換器の底部より低くなるように設定し、
前記熱交換器の吹出側外周と前記送風ケーシングにおける前記送風ファンの外周側に位置する吸込口側との間の風路内に、除湿風が外部に漏れないようにベルマウスを設け、
前記ベルマウスは、前記熱交換器の上端と前記熱交換器の上端より低い位置の前記送風ケーシングにおける吸込口とを傾斜して接続する
ことを特徴とする除湿機。
【発明の詳細な説明】
【技術分野】
【０００１】
本発明は除湿した空気を吹出口から吹き出す除湿機、特に除湿機の高さを低くするようにしたものに関する。
【背景技術】
【０００２】
従来の除湿機は、縦長で箱状の本体ケースの前面側上部に吹出口が設けられ、本体ケースの背面に吸込口が形成されている。
また、本体ケースの背面側下部に水タンクが設けられ  本体ケース前面側の下部に圧縮機が設けられ、本体ケースの背面側で水タンクの直上に熱交換器が設けられ、本体ケース前面側で圧縮機の直上に送風モータによって駆動される送風ファンが設けられている。
本体ケースの吸込口から本体内部に吸い込んだ空気を熱交換器で除湿して本体ケースの吹出口から本体ケース外に吹き出すように構成されている（例えば、特許文献１参照）。
【先行技術文献】
【特許文献】
【０００３】
【特許文献１】特開平９−８９２９５号公報（第１頁、図１）
【発明の概要】
【発明が解決しようとする課題】
【０００４】
上記特許文献１に記載の従来の除湿機では、熱交換器の空気通過面で風速分布が均一となるように熱交換器の高さ方向の中心に送風機の軸を同じ高さにし、且つ圧縮機の上部に送風ファンを設置するために、除湿機本体である本体ケースの高さが高くなるという問題があった。
本発明はかかる問題を解決するためになされたもので、除湿機本体である本体ケースの高さを低くし、多くの洗濯物を除湿乾燥させることができる使い勝手の良い除湿機を得ることを目的とする。
【課題を解決するための手段】
【０００５】
本発明の除湿機は、本体ケースの吸込口から本体内部に吸い込んだ空気を除湿して本体ケースの吹出口から本体ケース外に吹き出す除湿機において、前記本体ケースの背面側底部には圧縮機と貯水タンクを設け、前記本体ケースの背面側で前記圧縮機及び前記貯水タンクの直上に熱交換器を設け、前記本体ケースの前面側の底部に送風モータによって駆動される送風ファンを覆う送風ケーシングを配設し、該送風ケーシングの上端が前記熱交換器の上端より低くなるように設定するとともに前記送風ファンの中心が前記熱交換器の底部より低くなるように設定し、前記熱交換器の吹出側外周と前記送風ケーシングにおける前記送風ファンの外周側に位置する吸込口側との間の風路内に、除湿風が外部に漏れないようにベルマウスを設け、前記ベルマウスは、前記熱交換器の上端と前記熱交換器の上端より低い位置の前記送風ケーシングにおける吸込口とを傾斜して接続するものである。
【発明の効果】
【０００６】
本発明の除湿機においては、本体ケースの背面側底部には圧縮機と貯水タンクを設け、前記本体ケースの背面側で前記圧縮機及び前記貯水タンクの直上に熱交換器を設け、前記本体ケースの前面側の底部に送風モータによって駆動される送風ファンを覆う送風ケーシングを配設し、該送風ケーシングの上端が前記熱交換器の上端より低くなるように設定するとともに前記送風ファンの中心が前記熱交換器の底部より低くなるように設定し、前記熱交換器の吹出側外周と前記送風ケーシングにおける前記送風ファンの外周側に位置する吸込口側との間の風路内に、除湿風が外部に漏れないようにベルマウスを設け、前記ベルマウスは、前記熱交換器の上端と前記熱交換器の上端より低い位置の前記送風ケーシングにおける吸込口とを傾斜して接続したので、従来の除湿機の本体ケースの前面側底部に圧縮機が設けられ、その圧縮機の直上に送風ファンが設けられていたのに比べ、圧縮機の高さ分から本体ケースの背面側で貯水タンクの上部に配設された熱交換器の高さを引いた分だけ、本体ケースの高さを低くすることができるため、その低くなった分だけ除湿機の上方で使用できる空間が広がり、多くの洗濯物を効率よく除湿乾燥させることができるとともに、熱交換器の空気通過面で風速不均一となり、除湿能力が低下するおそれをベルマウスが防止し、除湿能力が低下しないという効果がある。
さらに、送風モータを従来例に比べて低い位置に配置できるために、本体の重心を低くする効果を得ることができる。また、本体の振動を軽減する効果も得ることができる。
【図面の簡単な説明】
【０００７】
【図１】本発明の実施の形態１の除湿機の外観を示す斜視図。
【図２】図１のＡ−Ａ線断面図。
【図３】同除湿機から本体ケースを取り払った状態を示す斜視図。
【図４】図１のＢ−Ｂ線断面図。
【図５】同除湿機の側面から見た各部品の配置を示す概略構成図。
【図６】同除湿機の正面から見た各部品の配置を示す概略構成図。
【発明を実施するための形態】
【０００８】
実施の形態１．
図１は本発明の実施の形態１の除湿機の外観を示す斜視図、図２は図１のＡ−Ａ線断面図、図３は同除湿機から本体ケースを取り払った状態を示す斜視図、図４は図１のＢ−Ｂ線断面図、図５は同除湿機の側面から見た各部品の配置を示す概略構成図、図６は同除湿機の正面から見た各部品の配置を示す概略構成図である。
図１及び図２に示すように、本発明の実施の形態１の除湿機の縦長で箱状の本体ケース１の前面側上部に吹出口２が設けられ、本体ケース１の背面側に吸込口３が形成されている。
本体ケース１の背面側上部に操作部４が設けられ、本体ケース１の背面側底部には圧縮機５と貯水タンク６が設けられている。
【０００９】
本体ケース１の吹出口２には、上下方向に回動して吹出口２から吹き出す除湿風を上下方向に案内する相対向する３つの上・中・下ルーバ１２ａ〜１２ｃが設けられている。
また、これらルーバ１２ａ〜１２ｃ間には、左右方向に回動して吹出口２から吹き出す除湿風を左右方向に案内する複数の左右フィン１３が間隔を置いて設けられている。
さらに、これらルーバ１２ａ〜１２ｃ間の中央部には、左右フィン１３の左右方向の回動と連動する内部に赤外線センサ（図示省略）を備えた筒状のセンサ保持体１４が設けられている。
【００１０】
本体ケース１の背面側で圧縮機４と貯水タンク６の直上に熱交換器７が設けられ、本体ケース１の前面側の底部寄りに送風モータ８によって駆動される送風ファン９が直接配設されている。
そして、熱交換器７の空気通過面の中心より下方に送風ファン９の中心が位置することとなる。
また、送風ファン９を覆い、吸込口３から吸い込んで熱交換器７を経て除湿された空気を吹出口２に向うように案内する送風ケーシング１０が本体ケース１の前面側の底部に配設されている。
【００１１】
従来の除湿機では、熱交換器の空気通過面で風速分布が均一となるように熱交換器の高さ方向の中心に送風機の軸を同じ高さにし且つ圧縮機の上部に送風ファンを設置しているために、本体ケースの高さが高くなっていたが、この実施の形態１では送風ファン９を覆う送風ケーシング１０を本体ケース１の前面側の底部に配設することにより、圧縮機４の高さ分だけ、本体ケース１の高さを低くすることができるが、本体ケース１の背面側で貯水タンク６の上部に熱交換器７の高さまでしか本体ケース１の高さを低くすることができない。
この場合、熱交換器７の高さより低くなった送風ケーシング１０の吹出口側上端の上方に余分なスペースができる。
【００１２】
そこで、その送風ケーシング１０の吹出口側上端の上方の余分なスペースだけ、今度は熱交換器７の高さを小さくし、熱交換器７の性能を今までと同じにするために、熱交換器７の奥行き寸法を厚くする。
この場合、高さが小さくなった熱交換器６の底部とそれより下方の送風ファン８の中心との距離寸法ｔは、例えば１５ｍｍである。
【００１３】
その熱交換器７の空気通過面の中心より下方に送風ファン９の中心が位置することにより、熱交換器７の空気通過面で風速不均一となり、除湿能力が低下するおそれがある。    そこで、熱交換器７の吹出側外周と送風ケーシング１０における送風ファン９の外周側に位置するよう形成された吸込口側との間の風路に、除湿風が外部に漏れないようにベルマウス１１が設けられている。なお、本願にいうベルマウス（導風路部材）１１は、空気を効率よく導く導風路を形成するものであれば良く、ベル形状に限定されるものではない。
【００１４】
この実施の形態１では、本体ケース１の背面側底部には圧縮機５と貯水タンク６が設けられ、本体ケース１の背面側で圧縮機４と貯水タンク６の直上に熱交換器７が設けられ、本体ケース１の前面側の底部に送風モータ８と該送風モータ８によって駆動される送風ファン９を覆う送風ケーシング１０が配設され、送風ケーシング１０の上端が熱交換器７の上端より低くなるように設定したので、従来の除湿機の本体ケースの前面側底部に圧縮機が設けられ、その圧縮機の直上に送風ファンが設けられていたのに比べ、圧縮機４の高さ分から本体ケース１の背面側で貯水タンク６の上部に配設された熱交換器７の高さを引いた分だけ、本体ケース１の高さを低くすることができるため、その低くなった分だけ除湿機の上方で使用できる空間が広がり、多くの洗濯物を除湿乾燥させることができ、使い勝手がよくなった。
【００１５】
また、本体ケース１の背面側で貯水タンク６の直上の熱交換器７の上端までしか本体ケース１の高さを低くすることができないが、送風ケーシング１０の吹出口側上端を熱交換器７の上端より低くなるように送風ケーシング１０の高さが低くなった場合に、送風ケーシング１０の吹出口側上端の上方に余分なスペースができ、その余分なスペースだけ、今度は熱交換器７の高さを小さくし、熱交換器７をその上端が送風ケーシング１０の上端と同じになるように高さを設定すると共に熱交換器７の奥行きの厚さを熱交換器７の上端が送風ケーシングの上端より高い高さの場合と同じ除湿能力となるよう厚くしたことにより、本体ケース１の高さをさらに低くすることができ、より一層、本体ケース１の高さを低くすることができる。
【００１６】
さらに、本体ケース１の背面側で圧縮機４と貯水タンク６の直上に熱交換器７が設けられ、本体ケース１の前面側の底部に送風モータ８によって駆動される送風ファン９を覆う送風ケーシング１０が配設されている場合、熱交換器７の吹出側外周と送風ケーシング１０における送風ファン９の外周側に位置するよう形成された吸込口側との間の風路内に、除湿風が外部に漏れないようにベルマウス１１が設けられているので、熱交換器７の空気通過面の中心より下方に送風ファン９の中心が位置することにより、熱交換器７の空気通過面で風速不均一となり、除湿能力が低下するおそれをベルマウス１１が防止し、除湿能力が低下することはない。
【符号の説明】
【００１７】
１  本体ケース、２  吹出口、３  吸込口、４  操作部、５  圧縮機、６  貯水タンク、７  熱交換器、８  送風モータ、９  送風ファン、１０  送風ケーシング、１１  ベルマウス、１２ａ  上ルーバ、１２ｂ  中ルーバ、１２ｃ  下ルーバ、１３  左右フィン、１４  センサ保持体。
【図１】
0005478283.tif 000002
【図２】
0005478283.tif 000003
【図３】
0005478283.tif 000004
【図４】
0005478283.tif 000005
【図５】
0005478283.tif 000006
【図６】
0005478283.tif 000007